(57)【要約】      （修正有）【課題】表示画面により携帯中のものを提示でき、蓋を開けると中にある証明書を押し出すことができる持つクラッチバッグを提供する。【解決手段】表示画面１４を持つクラッチバッグ１１は蓋２５とを含み、クラッチバッグと前記蓋との間には伝動装置が連結され、クラッチバッグの中には右方に開口した、且つ上方に開口した収納チャンバ２０、展開装置１０１と検出装置とが設置される。収納チャンバの左側内壁から生成される空きチャンバを六つのカード置き溝２２に分け、検出装置がカード置き溝の中に証明書があるかどうかを検出でき、メッセージを前記表示画面に表示する。また蓋を開けると中にある証明書を押し出すことができる。【選択図】図１
2020179126.tif 000002
【特許請求の範囲】
【請求項１】
正面視で、クラッチバッグと蓋とを含み、前記クラッチバッグと前記蓋との間には伝動装置が連結され、前記クラッチバッグの中には右方に開口した、且つ上方に開口した収納チャンバが設置され、前記収納チャンバの中には展開装置と検出装置とが設置され、前記伝動装置は前記収納チャンバの下側内壁の中に連通するように設置される連結溝を含み、前記連結溝が右方に開口し、且つ下方に開口しており、前記連結溝の前後内壁の間にはロング回転軸が回転できるように連結され、前記蓋が前記ロング回転軸に固定的に連結され、前記蓋の中には左方に開口したプーリーチャンバが上下に貫通するように設置され、前記プーリーチャンバの中には大プーリーが回転できるように設置され、前記大プーリーが前記ロング回転軸に固定的に連結され、前記連結溝の左側内壁の中には伝動ベルトチャンバが連通するように設置され、前記伝動ベルトチャンバの前後内壁の間には連結軸が回転できるように連結され、前記連結軸には小プーリーが固定的に連結され、前記小プーリーと前記大プーリーとの間には伝動ベルトが連結され、前記小プーリーの後側には前記連結軸に固定的に連結される下歯車が回転できるように設置され、前記下歯車の上端には上歯車が噛合するように設置され、前記上歯車の上端にはねじボルトが固定的に連結され、前記伝動ベルトチャンバの上側内壁の中にはねじボルトチャンバが連通するように設置され、前記ねじボルトチャンバの上側内壁の中には気体保存チャンバが連通するように設置され、前記気体保存チャンバの中にはネジ山ブロックがスライドできるように設置され、前記ネジ山ブロックの中には下方に開口したネジ山穴が設置され、前記ねじボルトの上端が前記ネジ山穴の中に伸びており、且つ前記ネジ山穴とネジ山により連結され、前記気体保存チャンバと前記ねじボルトチャンバとの間がベアリングにより密封し分離され、
前記蓋が回転すると同時に、前記伝動装置により前記ネジ山ブロックをスライド連動させることを特徴とする表示画面を持つクラッチバッグ。
【請求項２】
前記展開装置は前記気体保存チャンバの下側内壁の中に連通するように設置される気体ガイド溝を含み、前記気体ガイド溝の中には大スライドロッドがスライドできるように設置され、前記大スライドロッドの右端が前記収納チャンバの中に挿入されることができ、前記大スライドロッドの中には左方に開口した小スライドロッドチャンバが設置され、前記小スライドロッドチャンバの中には小スライドロッドがスライドできるように設置され、前記小スライドロッドの右端が前記収納チャンバの中に挿入されており、前記小スライドロッドの後端にはガイドロッドが固定的に連結され、前記収納チャンバの前後内壁の間には回転輪が回転できるように連結され、前記回転輪の上端には回転板が固定的に連結され、前記回転板の中には前方に開口したガイドロッド溝が設置され、前記ガイドロッドの後端が前記ガイドロッド溝の中に挿入しており、
前記展開装置が前記大スライドロッドと前記小スライドロッドとをプッシュしスライドさせることができ、それにより前記回転板をプッシュし前記回転輪を中心に揺動させることを特徴とする請求項１に記載の表示画面を持つクラッチバッグ。
【請求項３】
前記検出装置は前記収納チャンバの左側内壁に固定的に連結される固定板を含み、前記固定板の右端が前記回転輪に当接しており、前記回転板の左端には前後に対称している二つの連結膜が固定的に連結され、前記連結膜の左端が前記収納チャンバの左側内壁に固定的に連結され、前記連結膜の下端が前記固定板の上端に固定的に連結され、両側の前記連結膜の間には五つのバリア層が固定的に連結され、前記バリア層の下端が前記固定板に固定的に連結され、五つの前記バリア層が前記固定板と、前記回転板と、前記連結膜及び前記収納チャンバの左側内壁から生成される空きチャンバを六つのカード置き溝に分け、前記固定板の中には上方に開口した六つのスライドブロックチャンバが設置され、一つの前記スライドブロックチャンバが一つの前記カード置き溝に正対しており、前記スライドブロックチャンバの中にはスライドブロックがスライドできるように設置され、前記スライドブロックチャンバの右側内壁の中には復帰溝が連通するように設置され、前記復帰溝の中には連結ブロックがスライドできるように設置され、前記連結ブロックが前記スライドブロックに固定的に連結され、前記連結ブロックの下端と前記復帰溝の下側内壁との間には復帰ばねが固定的に連結され、前記スライドブロックチャンバの下側内壁の中には感応ブロックが固定的に設置され、前記クラッチバッグの左端面の中には表示画面が固定的に設置され、
前記検出装置が前記カード置き溝の中に証明書があるかどうかを検出でき、またメッセージを前記表示画面に表示することを特徴とする請求項２に記載の表示画面を持つクラッチバッグ。
【請求項４】
前記クラッチバッグの上側の右端面には左磁石が固定的に連結され、前記蓋の上側の左端面には右磁石が固定的に連結され、
前記左磁石と前記右磁石が互いに近づき吸引し合い前記収納チャンバを閉じることができることを特徴とする請求項３に記載の表示画面を持つクラッチバッグ。
【請求項５】
前記蓋の右端には手袋が固定的に連結され、前記手袋の中には下方に開口した手袋チャンバが設置され、
前記収納チャンバを閉じると、手が前記手袋チャンバの中に入れ前記クラッチバッグと前記蓋とを握り、手から離すことを避けられることを特徴とする請求項４に記載の表示画面を持つクラッチバッグ。
【発明の詳細な説明】
【技術分野】
【０００１】
本発明はバッグ分野を取り上げて、具体的には表示画面を持つクラッチバッグである。
【背景技術】
【０００２】
財布は日常の生活用品であり、しかし時々出張するときには現金や、身分証明書や、キャッシュカードなどの多くのものを携帯すばれ、一般的な財布は収納できなく、また一部分のものを落とす可能性があり、従って、大容量の表示画面を持つクラッチバッグを設計する必要があり、本発明装置は携帯が便利であり、突然手から取り外されることを防ぎ、クラッチバッグの中にはより多くのものを収納でき、また表示画面により携帯中のものを提示でき、携帯漏れを避けることができ、蓋を開けると中にある証明書を押し出すことができ、便利に取り出すことができる。
【先行技術文献】
【特許文献】
【０００３】
【特許文献１】中国特許出願公開第１０６５６２５３７号明細書
【発明の概要】
【発明が解決しようとする課題】
【０００４】
本発明の目的は表示画面を持つクラッチバッグを提供し、それは上記の現在の技術中の問題を解決できる。
【課題を解決するための手段】
【０００５】
本発明は以下の技術プランを通じて実現する：本発明の表示画面を持つクラッチバッグは、クラッチバッグと蓋とを含み、前記クラッチバッグと前記蓋との間には伝動装置が連結され、前記クラッチバッグの中には右方に開口した、且つ上方に開口した収納チャンバが設置され、前記収納チャンバの中には展開装置と検出装置とが設置され、前記伝動装置は前記収納チャンバの下側内壁の中に連通するように設置される連結溝を含み、前記連結溝が右方に開口し、且つ下方に開口しており、前記連結溝の前後内壁の間にはロング回転軸が回転できるように連結され、前記蓋が前記ロング回転軸に固定的に連結され、前記蓋の中には左方に開口したプーリーチャンバが上下に貫通するように設置され、前記プーリーチャンバの中には大プーリーが回転できるように設置され、前記大プーリーが前記ロング回転軸に固定的に連結され、前記連結溝の左側内壁の中には伝動ベルトチャンバが連通するように設置され、前記伝動ベルトチャンバの前後内壁の間には連結軸が回転できるように連結され、前記連結軸には小プーリーが固定的に連結され、前記小プーリーと前記大プーリーとの間には伝動ベルトが連結され、前記小プーリーの後側には前記連結軸に固定的に連結される下歯車が回転できるように設置され、前記下歯車の上端には上歯車が噛合するように設置され、前記上歯車の上端にはねじボルトが固定的に連結され、前記伝動ベルトチャンバの上側内壁の中にはねじボルトチャンバが連通するように設置され、前記ねじボルトチャンバの上側内壁の中には気体保存チャンバが連通するように設置され、前記気体保存チャンバの中にはネジ山ブロックがスライドできるように設置され、前記ネジ山ブロックの中には下方に開口したネジ山穴が設置され、前記ねじボルトの上端が前記ネジ山穴の中に伸びており、且つ前記ネジ山穴とネジ山により連結され、前記気体保存チャンバと前記ねじボルトチャンバとの間がベアリングにより密封し分離され、
前記蓋が回転すると同時に、前記伝動装置により前記ネジ山ブロックをスライド連動させる。
【０００６】
さらなる技術プラン、前記展開装置は前記気体保存チャンバの下側内壁の中に連通するように設置される気体ガイド溝を含み、前記気体ガイド溝の中には大スライドロッドがスライドできるように設置され、前記大スライドロッドの右端が前記収納チャンバの中に挿入されることができ、前記大スライドロッドの中には左方に開口した小スライドロッドチャンバが設置され、前記小スライドロッドチャンバの中には小スライドロッドがスライドできるように設置され、前記小スライドロッドの右端が前記収納チャンバの中に挿入されており、前記小スライドロッドの後端にはガイドロッドが固定的に連結され、前記収納チャンバの前後内壁の間には回転輪が回転できるように連結され、前記回転輪の上端には回転板が固定的に連結され、前記回転板の中には前方に開口したガイドロッド溝が設置され、前記ガイドロッドの後端が前記ガイドロッド溝の中に挿入しており、
前記展開装置が前記大スライドロッドと前記小スライドロッドとをプッシュしスライドさせることができ、それにより前記回転板をプッシュし前記回転輪を中心に揺動させる。
【０００７】
さらなる技術プラン、前記検出装置は前記収納チャンバの左側内壁に固定的に連結される固定板を含み、前記固定板の右端が前記回転輪に当接しており、前記回転板の左端には前後に対称している二つの連結膜が固定的に連結され、前記連結膜の左端が前記収納チャンバの左側内壁に固定的に連結され、前記連結膜の下端が前記固定板の上端に固定的に連結され、両側の前記連結膜の間には五つのバリア層が固定的に連結され、前記バリア層の下端が前記固定板に固定的に連結され、五つの前記バリア層が前記固定板と、前記回転板と、前記連結膜及び前記収納チャンバの左側内壁から生成される空きチャンバを六つのカード置き溝に分け、前記固定板の中には上方に開口した六つのスライドブロックチャンバが設置され、一つの前記スライドブロックチャンバが一つの前記カード置き溝に正対しており、前記スライドブロックチャンバの中にはスライドブロックがスライドできるように設置され、前記スライドブロックチャンバの右側内壁の中には復帰溝が連通するように設置され、前記復帰溝の中には連結ブロックがスライドできるように設置され、前記連結ブロックが前記スライドブロックに固定的に連結され、前記連結ブロックの下端と前記復帰溝の下側内壁との間には復帰ばねが固定的に連結され、前記スライドブロックチャンバの下側内壁の中には感応ブロックが固定的に設置され、前記クラッチバッグの左端面の中には表示画面が固定的に設置され、
前記検出装置が前記カード置き溝の中に証明書があるかどうかを検出でき、またメッセージを前記表示画面に表示する。
【０００８】
さらなる技術プラン、前記クラッチバッグの上側の右端面には左磁石が固定的に連結され、前記蓋の上側の左端面には右磁石が固定的に連結され、
前記左磁石と前記右磁石が互いに近づき吸引し合い前記収納チャンバを閉じることができる。
【０００９】
さらなる技術プラン、前記蓋の右端には手袋が固定的に連結され、前記手袋の中には下方に開口した手袋チャンバが設置され、
前記収納チャンバを閉じると、手が前記手袋チャンバの中に入れ前記クラッチバッグと前記蓋とを握り、手から離すことを避けられる。
【発明の効果】
【００１０】
有益的な効果は：本発明は構造が簡単で、操作が便利であり、便利に携帯でき、クラッチバッグが突然手から離すことを避けられ、クラッチバッグの中により多くのものを収納でき、また表示画面によりすでに携帯されるものを提示でき、携帯漏れを避けることができ、蓋を開けると中にある証明書を押し出すことができ、便利に取り出すことができる。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の表示画面を持つクラッチバッグの内部構造概略図
【図２】図２は図１のＡの拡大概略図
【図３】図３は図１のＢ―Ｂ方向の構造概略図
【図４】図４は図２のＣの拡大概略図
【図５】図５は図２のＤ―Ｄ方向の構造概略図
【発明を実施するための形態】
【００１３】
図１〜５を参照し、本発明の表示画面を持つクラッチバッグは、クラッチバッグ１１と蓋２５とを含み、前記クラッチバッグ１１と前記蓋２５との間には伝動装置１００が連結され、前記クラッチバッグ１１の中には右方に開口した、且つ上方に開口した収納チャンバ２０が設置され、前記収納チャンバ２０の中には展開装置１０１と検出装置１０２とが設置され、前記伝動装置１００は前記収納チャンバ２０の下側内壁の中に連通するように設置される連結溝４１を含み、前記連結溝４１が右方に開口し、且つ下方に開口しており、前記連結溝４１の前後内壁の間にはロング回転軸４２が回転できるように連結され、前記蓋２５が前記ロング回転軸４２に固定的に連結され、前記蓋２５の中には左方に開口したプーリーチャンバ４４が上下に貫通するように設置され、前記プーリーチャンバ４４の中には大プーリー４３が回転できるように設置され、前記大プーリー４３が前記ロング回転軸４２に固定的に連結され、前記連結溝４１の左側内壁の中には伝動ベルトチャンバ４０が連通するように設置され、前記伝動ベルトチャンバ４０の前後内壁の間には連結軸３６が回転できるように連結され、前記連結軸３６には小プーリー３８が固定的に連結され、前記小プーリー３８と前記大プーリー４３との間には伝動ベルト３９が連結され、前記小プーリー３８の後側には前記連結軸３６に固定的に連結される下歯車３７が回転できるように設置され、前記下歯車３７の上端には上歯車３５が噛合するように設置され、前記上歯車３５の上端にはねじボルト１３が固定的に連結され、前記伝動ベルトチャンバ４０の上側内壁の中にはねじボルトチャンバ２８が連通するように設置され、前記ねじボルトチャンバ２８の上側内壁の中には気体保存チャンバ１７が連通するように設置され、前記気体保存チャンバ１７の中にはネジ山ブロック１６がスライドできるように設置され、前記ネジ山ブロック１６の中には下方に開口したネジ山穴１５が設置され、前記ねじボルト１３の上端が前記ネジ山穴１５の中に伸びており、且つ前記ネジ山穴１５とネジ山により連結され、前記気体保存チャンバ１７と前記ねじボルトチャンバ２８との間がベアリングにより密封し分離され、
前記蓋２５が回転すると同時に、前記伝動装置１００により前記ネジ山ブロック１６をスライド連動させる。
【００１４】
有益的には、前記展開装置１０１は前記気体保存チャンバ１７の下側内壁の中に連通するように設置される気体ガイド溝１２を含み、前記気体ガイド溝１２の中には大スライドロッド２９がスライドできるように設置され、前記大スライドロッド２９の右端が前記収納チャンバ２０の中に挿入されることができ、前記大スライドロッド２９の中には左方に開口した小スライドロッドチャンバ３０が設置され、前記小スライドロッドチャンバ３０の中には小スライドロッド３３がスライドできるように設置され、前記小スライドロッド３３の右端が前記収納チャンバ２０の中に挿入されており、前記小スライドロッド３３の後端にはガイドロッド３２が固定的に連結され、前記収納チャンバ２０の前後内壁の間には回転輪３４が回転できるように連結され、前記回転輪３４の上端には回転板２３が固定的に連結され、前記回転板２３の中には前方に開口したガイドロッド溝３１が設置され、前記ガイドロッド３２の後端が前記ガイドロッド溝３１の中に挿入しており、
前記展開装置１０１が前記大スライドロッド２９と前記小スライドロッド３３とをプッシュしスライドさせることができ、それにより前記回転板２３をプッシュし前記回転輪３４を中心に揺動させる。
【００１５】
有益的には、前記検出装置１０２は前記収納チャンバ２０の左側内壁に固定的に連結される固定板４９を含み、前記固定板４９の右端が前記回転輪３４に当接しており、前記回転板２３の左端には前後に対称している二つの連結膜４５が固定的に連結され、前記連結膜４５の左端が前記収納チャンバ２０の左側内壁に固定的に連結され、前記連結膜４５の下端が前記固定板４９の上端に固定的に連結され、両側の前記連結膜４５の間には五つのバリア層２１が固定的に連結され、前記バリア層２１の下端が前記固定板４９に固定的に連結され、五つの前記バリア層２１が前記固定板４９と、前記回転板２３と、前記連結膜４５及び前記収納チャンバ２０の左側内壁から生成される空きチャンバを六つのカード置き溝２２に分け、前記固定板４９の中には上方に開口した六つのスライドブロックチャンバ４７が設置され、一つの前記スライドブロックチャンバ４７が一つの前記カード置き溝２２に正対しており、前記スライドブロックチャンバ４７の中にはスライドブロック４６がスライドできるように設置され、前記スライドブロックチャンバ４７の右側内壁の中には復帰溝５０が連通するように設置され、前記復帰溝５０の中には連結ブロック５２がスライドできるように設置され、前記連結ブロック５２が前記スライドブロック４６に固定的に連結され、前記連結ブロック５２の下端と前記復帰溝５０の下側内壁との間には復帰ばね５１が固定的に連結され、前記スライドブロックチャンバ４７の下側内壁の中には感応ブロック４８が固定的に設置され、前記クラッチバッグ１１の左端面の中には表示画面１４が固定的に設置され、
前記検出装置１０２が前記カード置き溝２２の中に証明書があるかどうかを検出でき、またメッセージを前記表示画面１４に表示する。
【００１６】
有益的には、前記クラッチバッグ１１の上側の右端面には左磁石１９が固定的に連結され、前記蓋２５の上側の左端面には右磁石２４が固定的に連結され、
前記左磁石１９と前記右磁石２４が互いに近づき吸引し合い前記収納チャンバ２０を閉じることができる。
【００１７】
有益的には、前記蓋２５の右端には手袋２６が固定的に連結され、前記手袋２６の中には下方に開口した手袋チャンバ２７が設置され、
前記収納チャンバ２０を閉じると、手が前記手袋チャンバ２７の中に入れ前記クラッチバッグ１１と前記蓋２５とを握り、手から離すことを避けられる。
【００１８】
使用するとき、左磁石１９と右磁石２４とを離脱させ、蓋２５を回し、それによりロング回転軸４２を回転連動させ、それにより大プーリー４３を回転連動させ、それにより伝動ベルト３９により小プーリー３８を回転連動させ、それにより連結軸３６により下歯車３７を回転連動させ、それにより上歯車３５を回転連動させ、それによりねじボルト１３によりネジ山ブロック１６を下にスライド連動させ、それによりネジ山ブロック１６の下側にある空気を気体ガイド溝１２の中に排出し、それにより大スライドロッド２９と小スライドロッド３３とをプッシュし右にスライドさせ、大スライドロッド２９が右限界位置までスライドすると、小スライドロッド３３が右にスライドし続けることができ、また小スライドロッド３３をプッシュし回転輪３４を中心に回転させ、それによりカード置き溝２２を広げ、蓋２５の回転幅が大きければ大きいほど、回転板２３の回転幅も大きくなり、蓋２５と回転板２３との同期展開を実現し、ぶつかることを防止でき、証明書をカード置き溝２２の中に置き、証明書がスライドブロック４６をプッシュし下にスライドさせることができ、それにより感応ブロック４８と接触でき、このとき、表示画面１４に対応のカード置き溝２２の中にすでに証明書があると表示し、蓋２５を反転させ、このとき回転板２３がカード置き溝２２を収納し、左磁石１９と右磁石２４とが接触し収納チャンバ２０を閉じ、手が手袋チャンバ２７の中に挿入されクラッチバッグ１１と蓋２５とを握り、クラッチバッグ１１が突然手から離すことを避けられる。
【００１９】
有益的な効果は：本発明は構造が簡単で、操作が便利であり、便利に携帯でき、クラッチバッグが突然手から離すことを避けられ、クラッチバッグの中により多くのものを収納でき、また表示画面によりすでに携帯されるものを提示でき、携帯漏れを避けることができ、蓋を開けると中にある証明書を押し出すことができ、便利に取り出すことができる。
【００２０】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020179126.tif 000003
【図２】
2020179126.tif 000004
【図３】
2020179126.tif 000005
【図４】
2020179126.tif 000006
【図５】
2020179126.tif 000007